(57)【要約】　　　（修正有）【課題】中心キーボタンに対する周辺操作部の操作位置の認識を容易にして、周辺操作部の誤操作の減少を図るキー装置を提供するものである。【解決手段】周辺部に複数の方向スイッチ部２１を有する多方向スイッチ２と、方向スイッチ部２１のそれぞれに対応して設けられ対応する方向スイッチ部２１を操作する複数の周辺操作部３０〜３５を設けた多方向キーボタン３とを備え、周辺操作部３０〜３５は多方向キーボタン３上に設置される位置により形状が異なるキー装置を備えることにより、例えば、上下左右位置と斜め位置とで指に伝わる操作感が異なるため、誤操作の少ないキー操作が可能となる。【選択図】　図１
2004047338.tif 000002
【特許請求の範囲】
【請求項１】
複数の方向入力部を有する多方向入力手段と、前記方向入力部のそれぞれに対応する操作部を表面に設けた多方向操作手段とを備え、前記操作部は位置により異なる形状を有することを特徴とするキー装置。
【請求項２】
前記操作部は位置により、高さの異なる凸形状に形成されることを特徴とする請求項１記載のキー装置。
【請求項３】
前記操作部は位置により、長さの異なる凸形状に形成されることを特徴とする請求項１記載のキー装置。
【請求項４】
前記操作部は位置により、鋭角または鈍角な凸形状に形成されることを特徴とする請求項１記載のキー装置。
【請求項５】
前記操作部は位置により、表面粗さの異なるシボで形成される押圧操作部であることを特徴とする請求項１記載のキー装置。
【請求項６】
複数の方向入力部を有する多方向入力手段と、前記方向入力部のそれぞれに対応する操作部を表面に設けた多方向操作手段とを備え、前記操作部は位置により材質が異なることを特徴とするキー装置。
【請求項７】
前記操作部は位置により、樹脂またはゴムの２色成形により構成されることを特徴とする請求項６記載のキー装置。
【請求項８】
前記操作部は位置により、樹脂またはゴムを前記多方向操作手段に接着による一体化で構成することを特徴とする請求項６記載のキー装置。
【請求項９】
前記操作部は、材質の違いにより、高さの異なる凸形状に形成されることを特徴とする請求項６ないし８のいずれかに記載のキー装置。
【請求項１０】
前記操作部は、材質の違いにより、長さの異なる凸形状に形成されることを特徴とする請求項６ないし８のいずれかに記載のキー装置。
【請求項１１】
前記操作部は、材質の違いにより、鋭角または鈍角な凸形状に形成されることを特徴とする請求項６ないし８のいずれかに記載のキー装置。
【請求項１２】
複数の方向入力部を有する多方向入力手段と、前記方向入力部のそれぞれに対応する操作部を設けた多方向操作手段とを備え、前記操作部は配置位置により潰れ量が異なる凸状の弾性体で構成されることを特徴とするキー装置。
【請求項１３】
前記弾性体は、位置により、硬度が異なるゴム材料で構成されることを特徴とする請求項１２記載のキー装置。
【請求項１４】
前記弾性体は、位置により、高さの異なる凸形状に形成されることを特徴とする請求項１２記載のキー装置。
【請求項１５】
前記弾性体は、位置により、鋭角または鈍角な凸形状に形成されることを特徴とする請求項１２記載のキー装置。
【請求項１６】
請求項１ないし請求項１５のいずれかに記載のキー装置を備えた携帯端末機器。
【発明の詳細な説明】
【０００１】
【発明の属する技術分野】
本発明は、中心キーボタンのほか、上下左右位置または斜め位置で操作可能な多方向スイッチを押圧する複数のキー凸部を一体に有する多方向キーボタンを備えたキー装置に関するものである。
【０００２】
【従来の技術】
従来、中央のほか、上下左右位置または斜め位置で操作する複数のキー操作部を有する多方向キーボタンを用いたキー装置としては、実開平０７−４１９２８号公報に記載されているように、中央の押しボタンの周囲に８つの周辺操作部を設けて、中央の押しボタンとは全く独立に操作できるものが開示されている。この周辺操作部は、形状が同一の凸形状とするか、またはどの方向の周辺操作部も特異な形状を持たせずにキー操作時に動作する表示部の画面遷移等により周辺操作部の操作位置を認識するという構成がとられている。
【０００３】
【発明が解決しようとする課題】
しかしながら、上記従来のキー装置においては、上下左右位置または斜め位置で操作する複数の周辺操作部のそれぞれを操作する場合、周辺操作部の形状が同一のため、上下左右位置と斜め位置とで明確な操作感の違いが得られず、近接した位置の周辺操作部を操作したときに、誤操作が発生し易く、その結果、キー操作のやり直しなどが発生するという問題があった。
【０００４】
本発明は、上記従来の問題を解決するためになされたもので、目で見ずとも中心キーボタンに対する周辺操作部の操作位置の認識を容易にして、周辺操作部の誤操作の減少を図るキー装置を提供するものである。
【０００５】
【課題を解決するための手段】
本発明におけるキー装置は、複数の方向入力部を有する多方向入力手段と、前記方向入力部のそれぞれに対応する操作部を表面に設けた多方向操作手段とを備え、前記操作部は位置により異なる形状を有するという構成を有している。この構成により、例えば、上下左右位置と斜め位置とで指に伝わる操作感が異なるため、誤操作の少ないキー操作が可能である。
【０００６】
本発明におけるキー装置は、前記操作部が位置により、高さの異なる凸形状に形成されるという構成を有している。この構成により、例えば、上下左右位置と斜め位置とで指に伝わる凹凸感が異なるため、誤操作の少ないキー操作が可能である。
【０００７】
本発明におけるキー装置は、前記操作部が位置により、長さの異なる凸形状に形成されるという構成を有している。この構成により、例えば、上下左右位置と斜め位置とで指に伝わる押圧面積感が異なるため、誤操作の少ないキー操作が可能である。
【０００８】
本発明におけるキー装置は、前記操作部が位置により、鋭角または鈍角な凸形状に形成されるという構成を有している。この構成により、例えば、上下左右位置と斜め位置とで指に伝わる鋭角感が異なるため、誤操作の少ないキー操作が可能である。
【０００９】
本発明におけるキー装置は、前記操作部が位置により、表面粗さの異なるシボで形成される押圧操作部であるという構成を有している。この構成により、例えば、上下左右位置と斜め位置とで指に伝わる表面粗さ感が異なるため、誤操作の少ないキー操作が可能である。
【００１０】
本発明におけるキー装置は、複数の方向入力部を有する多方向入力手段と、前記方向入力部のそれぞれに対応する操作部を表面に設けた多方向操作手段とを備え、前記操作部は位置により材質が異なるという構成を有している。この構成により、例えば、上下左右位置と斜め位置とで指に伝わる材質感が異なるため、誤操作の少ないキー操作が可能である。
【００１１】
本発明におけるキー装置は、前記操作部が位置により、樹脂またはゴムの２色成形により構成されるという構成を有している。この構成により、多方向キーボタンに配置される周辺操作部を上下左右位置と斜め位置とにより容易に異なる材質にすることが可能である。
【００１２】
本発明におけるキー装置は、前記操作部が位置により、樹脂またはゴムを前記多方向操作手段に接着による一体化で構成するという構成を有している。この構成により、２色成形に対応出来ない金型構造においても、周辺操作部を上下左右位置と斜め位置とで異なる材質にすることが容易に可能である。
【００１３】
本発明におけるキー装置は、前記操作部が、材質の違いにより、高さの異なる凸形状に形成されるという構成を有している。この構成により、例えば、上下左右位置と斜め位置とで指に伝わる材質感と凹凸感が異なるため、更に誤操作の少ないキー操作が可能である。
【００１４】
本発明におけるキー装置は、前記操作部が、材質の違いにより、長さの異なる凸形状に形成されるという構成を有している。この構成により、例えば、上下左右位置と斜め位置とで指に伝わる材質感と操作面積感が異なるため、更に誤操作の少ないキー操作が可能である。
【００１５】
本発明におけるキー装置は、前記操作部が、材質の違いにより、鋭角または鈍角な凸形状に形成されるという構成を有している。この構成により、例えば、上下左右位置と斜め位置とで指に伝わる材質感と鋭角感が異なるため、更に誤操作の少ないキー操作が可能である。
【００１６】
本発明におけるキー装置は、複数の方向入力部を有する多方向入力手段と、前記方向入力部のそれぞれに対応する操作部を設けた多方向操作手段とを備え、前記操作部は配置位置により潰れ量が異なる凸状の弾性体で構成されるという構成を有している。この構成により、例えば、上下左右位置と斜め位置とで指に伝わる押圧荷重に対する押圧ストロークの関係が異なるため、誤操作の少ないキー操作が可能である。
【００１７】
本発明におけるキー装置は、前記弾性体が、位置により、硬度が異なるゴム材料で構成されるという構成を有している。この構成により、例えば、上下左右位置と斜め位置とで押圧荷重に対する押圧ストロークに差異を設けて、誤操作の少ないキー操作が可能である。
【００１８】
本発明におけるキー装置は、前記弾性体が、位置により、高さの異なる凸形状に形成されるという構成を有している。この構成により、例えば、上下左右位置と斜め位置とで押圧荷重に対する押圧ストロークに差異を設けて、誤操作の少ないキー操作が可能である。
【００１９】
本発明におけるキー装置は、前記弾性体が、位置により、鋭角または鈍角な凸形状に形成されるという構成を有している。この構成により、例えば、上下左右位置と斜め位置とで押圧荷重に対する押圧ストロークに差異を設けて、誤操作の少ないキー操作が可能である。
【００２０】
本発明における携帯端末機器は、請求項１ないし請求項１５のいずれかに記載のキー装置を備えるという構成を有している。この構成により、簡単な構造で誤操作の少ないキーボタンを有する携帯端末機器を提供することが可能である。
【００２１】
【発明の実施の形態】
以下、添付図面に基づき、本発明の第１ないし第３の実施の形態を詳細に説明する。
まず、図１のキー装置の分解斜視図、図２の多方向スイッチの正面図、図３ないし図６の多方向キーボタンの斜視図を参照して、本発明の第１の実施の形態におけるキー装置について説明する。
【００２２】
まず、図１に示す本実施の形態のキー装置は、プリント基板１の上に設けられ中心スイッチ部２２の周囲に方向スイッチ部２１を有する多方向スイッチ２と、多方向スイッチ２の上部に設けられ複数の周辺操作部３０〜３５が円周上にかつ放射形状に設けられた多方向キーボタン３と、多方向キーボタン３の中央に配置された中心キーボタン５と、多方向スイッチ２と多方向キーボタン３との間に設けられ周辺操作部３０〜３５に復元力を与えるゴム製キーパット４とが備えられる。そして、多方向スイッチ２、多方向キーボタン３、ゴム製キーパット４、中心キーボタン５は、プリント基板１とカバー６との間に挟みこまれるように構成される。なお、ゴム製キーパット４は、他の材料、例えば、ソフトなプラスチック製のものでもよい。
【００２３】
図２において、プリント基板１上に実装された多方向スイッチ２の各方向スイッチ部２１は、多方向キーボタン３の各周辺操作部３０〜３５を押すことにより、ゴム製キーパット４を介して対応する多方向スイッチ２の方向スイッチ部２１が押されることになり、円周上の８個所の位置（多方向スイッチ２の円周上の位置）が検出され電気的に接続状態となり、プリント基板１上の回路を駆動して表示部等に押圧位置の表示が行われる構成とされる。ここで、表示部についての詳細は省略するが携帯機器に備えられている液晶表示部等が該当する。
【００２４】
尚、この多方向スイッチ２については、本実施の形態のように、複数の方向スイッチ部２１が１つの多方向スイッチ２上に一体に形成される一体型スイッチに限定されるものではなく、８個所の接点パターンを基板上に配置しカーボン接点で接触する構造や、８個所の金属ダイヤフラムを基板上に配置して接触する構造なども含まれる。また、この方向検出位置の数については必ずしも８個所に限定されるものではない。多方向スイッチ２の中心にある中心スイッチ部２２は、中心キーボタン５を押すことにより、ゴム製キーパット４を介して押され電気的に接続状態となり、プリント基板１上の回路を駆動してコマンド確定等の機能が行われるよう構成される。
【００２５】
次に、図３ないし図６を参照して、本発明の第１の実施の形態におけるキー装置の多方向キーボタンについて説明する。
図３において、多方向キーボタン３上には、中央部を除く周辺部、すなわち、中央部の上下左右位置に凸形状からなる周辺操作部３０と、斜め位置に凸形状からなる周辺操作部３１とが設けられる。なお、上下左右位置の周辺操作部３０は斜め位置の周辺操作部３１に比べ、高さが低い凸形状とされる。
また、多方向キーボタン３と周辺操作部３０〜３５との一体化については、２色成形による手法と接着による手法とがあげられる。
【００２６】
また、図４に示す多方向キーボタン３上に設けた上下左右位置の周辺操作部３２は斜め位置の周辺操作部３３に比べ、長さが長い凸形状とされる。
また、図５に示す多方向キーボタン３上に設けた上下左右位置の周辺操作部３４は斜め位置の周辺操作部３５に比べ、鈍角な凸形状とされる。
【００２７】
図６に示す多方向キーボタン３上には、周辺操作部３０〜３５の代わりに、比較的細かい凹凸からなるシボにより形成された押圧操作するための押圧操作部３６、３７が設けられる。上下左右位置の押圧操作部３６の表面はなし地シボもしくは細密なシボとされ、斜め位置の押圧操作部３７は荒いシボとされる。
【００２８】
上記のように構成したことにより、本実施の形態では、上下左右位置の周辺操作部３０、３２、３４および上下左右位置の押圧操作部３６と斜め位置の周辺操作部３１、３３、３５および斜め位置の押圧操作部３７の形状の違いにより、押したときの操作感の違いを明確に出来るため、押圧操作時における誤操作の削減可能なキー装置を提供することができる。
なお、周辺操作部３０、３２、３４および押圧操作部３６の形状と周辺操作部３１、３３、３５および押圧操作部３７の形状が、上記と逆の構成にしても同様の効果が得られる。
【００２９】
次に、図１ないし図７を参照して、本発明の第２の実施の形態におけるキー装置の多方向キーボタンについて説明する。
図７に示す多方向キーボタン３は、上下左右位置の周辺操作部３８と斜め位置の周辺操作部３９とを異なる材料で構成する。例えば、上下左右位置の周辺操作部３８を樹脂で構成し、斜め位置の周辺操作部３９をゴム材料で構成する。なお、上下左右位置の周辺操作部３８をゴム材料で構成し、斜め位置の周辺操作部３９を樹脂で構成してもよい。
また、多方向キーボタン３と周辺操作部３８、３９との一体化については、２色成形による手法と接着による手法とがあげられる。更に、上下左右位置の周辺操作部３８と斜め位置の周辺操作部３９の形状については、図３から図６に示したものと同様の差異を上下左右位置の周辺操作部３８と斜め位置の周辺操作部３９とに施すことが出来る。
【００３０】
上記のように構成したことにより、本実施の形態では、上下左右位置の周辺操作部３８と斜め位置の周辺操作部３９の材質の違いによる操作感の違いから、どの周辺操作部３８かまたは周辺操作部３９を押圧したかを明確に出来ることにより、押圧操作時における周辺操作部３８または周辺操作部３９の誤操作を削減可能なキー装置を提供することが出来る。
【００３１】
次に、図１ないし図７を参照して、本発明の第３の実施の形態におけるキー装置の多方向キーボタンについて説明する。
本実施の形態では、図７に示す多方向キーボタン３を、上下左右位置の周辺操作部３８と斜め位置の周辺操作部３９とを硬度の異なるゴム材料で構成する。例えば、上下左右位置の周辺操作部３８を硬度の高いゴム材料で構成し、斜め位置の周辺操作部３９を硬度の低いゴム材料で構成する。なお、上下左右位置の周辺操作部３８を硬度の低いゴム材料で構成し、斜め位置の周辺操作部３９を硬度の高いゴム材料で構成してもよい。
また、多方向キーボタン３と周辺操作部３８、３９との一体化については、２色成形による手法と接着による手法とがあげられる。更に、上下左右位置の周辺操作部３８と斜め位置の周辺操作部３９の形状については、図３から図６に示したものと同様の差異を上下左右位置の周辺操作部３８と斜め位置の周辺操作部３９とに施すことが出来る。
【００３２】
上記のように構成したことにより、本実施の形態では、上下左右位置の周辺操作部３８と斜め位置の周辺操作部３９の潰れ量の違いによる操作感の違いから、どの周辺操作部３８かまたは周辺操作部３９を押圧したかを明確に出来ることにより、押圧操作時における周辺操作部３およびは周辺操作部３９の誤操作を削減可能なキー装置を提供することが出来る。
本発明の実施の形態では、以上説明したように、多方向キーボタン３に小さな周辺操作部３０〜３９を設けたのみにより、少スペースで十分な操作感の差異が得られるキー装置を提供することができる。
【００３３】
【発明の効果】
本発明におけるキー装置は、上記のように構成され、特に、上下左右位置の周辺操作部と斜め位置の周辺操作部の形状および材質の違いから押したときの操作感が異なることにより、押圧した周辺操作部を目で見ずともその正誤が明白となるため、誤操作を削減することができる。
【図面の簡単な説明】
【図１】本発明の第１の実施の形態におけるキー装置の構成を示す分解斜視図、
【図２】本発明の第１の実施の形態におけるキー装置に用いる多方向スイッチの正面図、
【図３】本発明の第１の実施の形態におけるキー装置に用いる多方向キーボタンの構成を示す斜視図、
【図４】本発明の第１の実施の形態におけるキー装置に用いる他の多方向キーボタンの構成を示す斜視図、
【図５】本発明の第１の実施の形態におけるキー装置に用いる他の多方向キーボタンの構成を示す斜視図、
【図６】本発明の第１の実施の形態におけるキー装置に用いる更に他の多方向キーボタンの構成を示す斜視図、
【図７】本発明の第１および第２の実施の形態におけるキー装置に用いる多方向キーボタンの構成を示す斜視図。
【符号の説明】
１　　プリント基板
２　　多方向スイッチ
２１　方向スイッチ部
２２　中心スイッチ部
３　　多方向キーボタン
３０、３１、３２、３３、３４、３５、３８、３９　周辺操作部
３６、３７　押圧操作部
４　　ゴム製キーパット
５　　中心キーボタン
６　　カバー
【図１】
2004047338.tif 000003
【図２】
2004047338.tif 000004
【図３】
2004047338.tif 000005
【図４】
2004047338.tif 000006
【図５】
2004047338.tif 000007
【図６】
2004047338.tif 000008
【図７】
2004047338.tif 000009